(57)【要約】 【課題】粉塵含有の空気を貯留する粉塵室と粉塵を除去した空気を貯留する無塵室とに集塵機のケーシング内を上下に仕切りかつ前記カートリッジ濾材を貫流した空気が通過可能な開口を設けた仕切板の下面に装着してカートリッジ濾材を取り付けるレールの上に粉塵が堆積するとともに固着する。【解決手段】仕切板１の下面側から開口６を閉鎖可能なセルプレート７と、セルプレート７にこれを貫通させて気密に垂設した有底円筒状のカートリッジ濾材８と、セルプレート７の上面に適宜の間隔をおいて突設した係合部材９・１０と、カートリッジ濾材２の上端開口部を仕切板１とセルプレート７とで気密に包囲可能なようにセルプレート７上に貼着した枠状のパッキン１１と、で成る濾材ユニット２と；仕切板１の上方に配置され開口６を貫通可能でかつ係合部材９・１０を掛止可能な掛止部２５・２６を有する掛止機構４と；仕切板１上に装着され掛止機構４を上昇させる上昇機構５と；を備えたことを特徴とする。【選択図】     図１
2006055689.tif 000002
【特許請求の範囲】
【請求項１】
粉塵含有の空気を貯留する粉塵室と粉塵を除去した空気を貯留する無塵室とに集塵機のケーシング内を上下に仕切りかつカートリッジ濾材を貫流した空気が通過可能な開口を設けた仕切板に、前記カートリッジ濾材を着脱可能に取り付けるようにした集塵機であって；
前記仕切板の下面側から前記開口を閉鎖可能なセルプレートと、このセルプレートにこれを貫通させて気密に垂設した前記カートリッジ濾材と、前記セルプレートの上面に突設した係合部材と、前記セルプレートの上面に貼着されて前記カートリッジ濾材の上端開口部を前記仕切板と前記セルプレートとで気密に包囲可能なパッキンと、で成る濾材ユニットと；
前記仕切板の上方に配置され前記開口を貫通可能でかつ前記係合部材を掛止可能な掛止部を有する掛止機構と；
前記仕切板の上面に装着され前記掛止機構を上昇させる上昇機構と；
を備えたことを特徴とする集塵機。
【請求項２】
前記仕切板の上面と前記開口の内部を移動可能な搬送部材を前記係合部材に付設したことを特徴とする請求項１に記載の集塵機。
【請求項３】
粉塵含有の空気を貯留する粉塵室と粉塵を除去した空気を貯留する無塵室とに集塵機のケーシング内を上下に仕切りかつ前記カートリッジ濾材を貫流した空気が通過可能な開口を設けた仕切板に、この仕切板の下面側から前記開口を閉鎖可能なセルプレートとこのセルプレートにこれを貫通させて気密に垂設した前記複数のカートリッジ濾材と前記セルプレートの上面に突設した係合部材と前記セルプレートの上面に貼着されて前記カートリッジ濾材の上端開口部を前記仕切板と前記セルプレートとで気密に包囲可能なパッキンとで成る濾材ユニットを、この濾材ユニットの係合部材を掛止可能な掛止部を有する掛止機構およびこの掛止機構を上昇させる上昇機構によって取り付ける方法であって、
前記掛止部を前記開口を貫通させるとともに前記仕切板の下方に突出させて前記掛止機構を前記仕切板の上方に配置する工程と、
前記係合部を前記掛止部に掛止させたのち前記開口の真下まで濾材ユニットを移動させるる工程と、
前記上昇機構により前記濾材ユニットを前記掛止機構を介して吊り上げるとともに前記仕切板の下面に当接させる工程と、
を有することを特徴とする濾材ユニットの集塵機への取付方法。
【請求項４】
請求項３に記載の濾材ユニットの集塵機への取付方法において、
前記仕切板の上面と前記開口の内部を移動可能な搬送部材を介して前記係合部を前記掛止部に掛止させたのち前記開口の真下まで濾材ユニットを移動させるようにしたことを特徴とする濾材ユニットの集塵機への取付方法。
【発明の詳細な説明】
【技術分野】
【０００１】
本発明は、カートリッジ濾材を用いた集塵機および濾材ユニットの集塵機への取付方法に関する。
【背景技術】
【０００２】
従来、この種の集塵機においては、カートリッジ濾材の集塵機への取付は、一般に、粉塵含有の空気を貯留する粉塵室と粉塵を除去した空気を貯留する無塵室とに集塵機のケーシング内を上下に仕切る仕切板の下面にレールを装着し、このレールにカートリッジ濾材を係合させ、その後、カートリッジ濾材をレール上をスライドさせるようにして所要場所に移動させて着脱可能に取り付ける方法によっている。
【０００３】
しかし、このように構成された従来のカートリッジ濾材の集塵機への取付方法では、レールが粉塵含有の空気を貯留する粉塵室内に位置していてレール上に粉塵が堆積するとともに固着しているため、カートリッジ濾材を交換する際にレールの清掃が必要になって作業者に重労働を強要し、しかも、粉塵が爆発性を有する場合には、カートリッジ濾材がレール上をスライドすることにより火花や摩擦が発生して爆発が起きる可能性があり、極めて危険であった。
【発明の開示】
【発明が解決しようとする課題】
【０００４】
解決しようとする問題点は、仕切板の下面に装着してカートリッジ濾材を取り付けるレールの上に粉塵が堆積するとともに固着する点である。  
【課題を解決するための手段】
【０００５】
上記の課題を解消するために本発明における集塵機は、粉塵含有の空気を貯留する粉塵室と粉塵を除去した空気を貯留する無塵室とに集塵機のケーシング内を上下に仕切りかつカートリッジ濾材を貫流した空気が通過可能な開口を設けた仕切板に、前記カートリッジ濾材を着脱可能に取り付けるようにした集塵機であって；前記仕切板の下面側から前記開口を閉鎖可能なセルプレートと、このセルプレートにこれを貫通させて気密に垂設した前記カートリッジ濾材と、前記セルプレートの上面に突設した係合部材と、前記セルプレートの上面に貼着されて前記カートリッジ濾材の上端開口部を前記仕切板と前記セルプレートとで気密に包囲可能なパッキンと、で成る濾材ユニットと；前記仕切板の上方に配置され前記開口を貫通可能でかつ前記係合部材を掛止可能な掛止部を有する掛止機構と；前記仕切板の上面に装着され前記掛止機構を上昇させる上昇機構と；を備えたことを特徴とする。
【０００６】
このように構成されたものは、掛止部を開口を貫通させるとともに仕切板の下方に突出させて掛止機構を仕切板の上方に配置し、続いて、係合部を掛止部に掛止させたのち開口の真下まで濾材ユニットを移動させ、その後、上昇機構により濾材ユニットを掛止機構を介して吊り上げるとともに仕切板の下面に当接させ、この状態を維持する。
【発明の効果】
【０００７】
上記の説明から明らかなように本発明は、粉塵含有の空気を貯留する粉塵室と粉塵を除去した空気を貯留する無塵室とに集塵機のケーシング内を上下に仕切りかつカートリッジ濾材を貫流した空気が通過可能な開口を設けた仕切板に、前記カートリッジ濾材を着脱可能に取り付けるようにした集塵機であって；前記仕切板の下面側から前記開口を閉鎖可能なセルプレートと、このセルプレートにこれを貫通させて気密に垂設した前記カートリッジ濾材と、前記セルプレートの上面に突設した係合部材と、前記セルプレートの上面に貼着されて前記カートリッジ濾材の上端開口部を前記仕切板と前記セルプレートとで気密に包囲可能なパッキンと、で成る濾材ユニットと；前記仕切板の上方に配置され前記開口を貫通可能でかつ前記係合部材を掛止可能な掛止部を有する掛止機構と；前記仕切板の上面に装着され前記掛止機構を上昇させる上昇機構と；を備えたから、濾材ユニットを掛止する掛止機構の掛止部は、通常は粉塵を除去した空気を貯留する無塵室に位置するため、その掛止部に粉塵が堆積したり固着したりするのを防止することが可能になるなどの優れた実用的効果を奏する。
【発明を実施するための最良の形態】
【０００８】
粉塵含有の空気を貯留する粉塵室と粉塵を除去した空気を貯留する無塵室とに集塵機のケーシング内を上下に仕切りかつカートリッジ濾材を貫流した空気が通過可能な開口を設けた仕切板と；前記仕切板の下面側から前記開口を閉鎖可能なセルプレートと、このセルプレートにこれを貫通させて気密に垂設した前記カートリッジ濾材と、前記セルプレートの上面に突設した係合部材と、前記セルプレートの上面に貼着されて前記カートリッジ濾材の上端開口部を前記仕切板と前記セルプレートとで気密に包囲可能なパッキンと、で成る濾材ユニットと；前記開口を貫通可能でかつ前記係合部材を掛止可能な掛止部を有する掛止機構と；前記仕切板上に装着され前記掛止機構を上昇させる上昇機構とを、本集塵機は具備する。
【０００９】
このように構成したものは、掛止部を開口を貫通させるとともに仕切板の下方に突出させて掛止機構を仕切板の上方に配置し、続いて、係合部を掛止部に掛止させたのち開口の真下まで濾材ユニットを移動させ、その後、上昇機構により濾材ユニットを掛止機構を介して吊り上げるとともに仕切板の下面に当接させ、この状態を維持する。
【実施例１】
【００１０】
図１は集塵機の主要部の斜視図であり、本集塵機は、粉塵含有の空気を貯留する粉塵室と粉塵を除去した空気を貯留する無塵室とに集塵機のケーシング内を上下に仕切る仕切板１と、この仕切板１に取り付けた複数の濾材ユニット２・２と、これら複数の濾材ユニット２・２をそれぞれ移送する複数の搬送部材３・３と、掛止機構４を介して前記濾材ユニット２・２を吊り上げる上昇機構５とを備えている。
【００１１】
そして、前記仕切板１には前記カートリッジ濾材２・２を貫流した空気を通過させる長方形状の開口６が設けてある。
【００１２】
また、前記濾材ユニット２・２は、図２に示すように、前記仕切板１の下面側から前記開口６を閉鎖可能でかつ高さが低い箱状のセルプレート７と、このセルプレート７にこれを貫通させて気密に垂設した複数の有底円筒状のカートリッジ濾材８・８と、前記セルプレート７の上面に適宜の間隔をおいて突設した高さの相異する第１・第２係合部材９・１０と、前記複数のカートリッジ濾材２・２の上端開口部を前記仕切板１と前記セルプレート７とで気密に包囲可能なように前記セルプレート７上に貼着した枠状のパッキン１１とで構成してある。
【００１３】
また、前記搬送部材３は、図３に示すように、底部に掛止部を有する横向きの短尺四角筒状の本体１２と、この本体１２を前後に貫通する２本の丸棒１３・１３とで構成してあって、前記仕切板１の前記開口６の縁に前記２本の丸棒１３・１３を掛止させかつ前記仕切板１上に突設された一対の案内部材１４・１４によって前記丸棒１２・１２が案内されるようにして、前記開口６内を移動できるようになっている（図１参照）。
【００１４】
また、前記上昇機構５は、図４および図５に示すように、前記複数の開口６・６を挟んで前記仕切板１上の左右両側にその歯部を上にして装着した一対のチャンネル状の土台部材１５・１５と、この土台部材１５・１５の両先端寄り位置に上下回動自在に枢設しかつ上端部にローラ１６を軸着した四対のリンク１７・１７、１８・１８と、一方の一対のリンク１７・１７の下端部と他方の一対のリンク１８・１８の中間部とを上下回動自在にしてそれぞれ連結する２個の厚肉帯板状の連結部材１９・１９と、前記相対向する二対のリンク１７・１７を２個の支持部材２０・２０を介して連結したハンドル２１とで構成してある。
そして、前記上昇機構５においては、図５−Ｂに示すように、ハンドル２１を矢印方向へ回動させると、前記四対のリンク１７・１７、１８・１８も矢印方向へ回動して、図５−Ａに示すように、前記４個のローラ１６・１６が同調して上昇するようになっている
。
【００１５】
また、前記掛止機構４は、図１に示すように、前記上昇機構５の４個のローラ１６・１６上に装架して載置してあり、さらに全体的には枠状を成している。そして、前記掛止機構４は、前記上昇機構５の４個のローラ１６・１６を内接可能なようにその歯を下向きにした一対のチャンネル状の第１部材２２・２２と、一対の第１部材２２・２２上に所要の間隔をおいて架設したアングル状の第２部材２３・２４とで構成してあり、これら第２部材２３・２４のうち一方には前記複数の濾材ユニット２・２の第２係合部材１０・１０をそれぞれ掛止可能な複数の第１掛止部２５・２５が、さらに他方には複数の前記搬送部材３・３をそれぞれ掛止可能な複数の第２掛止部２６・２６がそれぞれ下端に突設してある。
【００１６】
次に、濾材ユニット２を仕切板１に取付ける手順について述べると、まず、図６−Ａに示すように、第１掛止部２５を仕切板１の開口６を貫通させるとともに仕切板１の下方に突出させたのち、濾材ユニット２の第２係合部材１０を搬送部材３に手作業によって係合させ、続いて、開口６の真下であって搬送部材３および第２係合部材１０が掛止機構４の第２掛止部２６に対向する位置まで手作業によって濾材ユニット２を搬送部材３を介して移動させる。次いで、図６−Ｂに示すように、搬送部材３を第２掛止部２６に、また濾材ユニット２の第１係合部材９を掛止機構４の第１掛止部２５に手作業によってそれぞれ係合させ、続いて、図６−Ｃに示すように、上昇機構５のハンドル２１を手作業によって上方へ回動して掛止機構４を介して濾材ユニット２を吊り上げる。その後、図６−Ｄに示すように、濾材ユニット２のセルプレート７をパッキン１１を介して仕切板１の下面に当接して、濾材ユニット２のセルプレート７およびパッキン１１によって開口６を気密に閉鎖するとともに、この状態を維持する。
【００１７】
なお、濾材ユニット２を仕切板１から取り外すには上述の手順を逆に行う。
【実施例２】
【００１８】
図７は集塵機の主要部の斜視図であり、本集塵機は実施例１と同様に構成してある。なお、実施例１と同じ部品は実施例１と同じ符号（番号）を流用してその説明を省略する。すなわち、本集塵機の主要部は、前記仕切板１と、前記複数の濾材ユニット２・２と、掛止機構３４を介して前記濾材ユニット２・２を吊り上げる前記上昇機構５とで構成してある。
【００１９】
なお、前記濾材ユニット２・２は、図８に示すように、実施例１の濾材ユニット２とは前記第１・第２係合部材９・１０が相異して前記第１・第２係合部材９・１０の代りに、前記セルプレート７の上面における前記パッキン１１の内側位置に４個の爪を四隅に一体的に設けた枠状の爪部材３９が固着してある。
【００２０】
また、前記掛止機構３４は、図７および図９に示すように、前記掛止機構３と同様に前記上昇機構５の４個のローラ１６・１６上に装架して載置してあり、さらに全体的には格子体状を成している。そして、前記掛止機構３４は、前記上昇機構５の４個のローラ１６・１６を内接可能なようにその歯を下向きにした一対のチャンネル状の第１部材３２・３２（図７参照）と、一対の第１部材３２・３２上に所要の間隔をおいて架設したアングル状の第２部材３３・３３と、前記第１部材３２・３２にほぼ平行するとともに所要の間隔をおいて第２部材３３・３３に装着しかつ前記濾材ユニット２の爪部材３９の爪に係合可能な張出部を下端に突設した複数の第３部材３１・３１とで構成してある。
【００２１】
次に、濾材ユニット２を仕切板１に取付ける手順について述べると、まず、図１０−Ａに示すように、掛止機構３４の第３部材３１・３１の張出部を仕切板１の開口６を貫通させるとともに仕切板１の下方に突出させたのち、濾材ユニット２の爪部材３９の爪を第３部材３１の張出部に係合させ、続いて、爪部材３９の爪を第３部材３１の張出部をスライドさせて、仕切板１の開口６の真下位置まで手作業によって濾材ユニット２を移動させる。次いで、図１０−Ｂに示すように、上昇機構５のハンドル２１を手作業によって上方へ回動して掛止機構３４を介して濾材ユニット２を吊り上げ、続いて、図１０−Ｃに示すように、濾材ユニット２のセルプレート７をパッキン１１を介して仕切板１の下面に当接して、濾材ユニット２のセルプレート７およびパッキン１１によって開口６を気密に閉鎖するとともに、この状態を維持する。
【００２２】
なお、濾材ユニット２を仕切板１から取り外すには上述の手順を逆に行う。
【００２３】
なお、上記の実施例ではカートリッジ濾材８は有底円筒状を成しているが、これに限定されるものではなく、例えば、前記セルプレート７に沿って延びる細長い有底四角筒状のものでもよい。
またなお、上記の実施例では、掛止機構４を介して濾材ユニット２・２を吊り上げる手段として図４および図５に示す上昇機構５を用いているが、これに限定されるものではなく、例えば、ボルト・ナットや慣用のカムリンク機構でもよい。
【図面の簡単な説明】
【００２４】
【図１】本発明の第１実施例における主要部の斜視図である。
【図２】本発明の第１実施例における濾材ユニットの斜視図である。
【図３】本発明の第１実施例における搬送部材の正面図および右側面図である。。
【図４】本発明の第１実施例および第２実施例における上昇機構の斜視図である。
【図５】図４における主要部の詳細図かつ作動説明図である。
【図６】本発明の第１実施例の作動説明図である。
【図７】本発明の第２実施例における主要部の斜視図である。
【図８】本発明の第２実施例における濾材ユニットの斜視図である。
【図９】本発明の第２実施例における掛止機構の斜視図である。
【図１０】本発明の第２実施例の作動説明図である。
【符号の説明】
【００２５】
１  仕切板
２  濾材ユニット
３  搬送部材
４  掛止機構
５  上昇機構  
６  開口
７  セルプレート
８  カートリッジ濾材
９；１０  係合部材
１１  パッキン
２５；２６  掛止部
【図１】
2006055689.tif 000003
【図２】
2006055689.tif 000004
【図３】
2006055689.tif 000005
【図４】
2006055689.tif 000006
【図５】
2006055689.tif 000007
【図６】
2006055689.tif 000008
【図７】
2006055689.tif 000009
【図８】
2006055689.tif 000010
【図９】
2006055689.tif 000011
【図１０】
2006055689.tif 000012